(57)【要約】【目的】横揺れに対しても防振（防震）性を発揮することができ、しかも低コスト化が可能な配管吊下支持具を提供する。【構成】一本の帯状バンド体を環状に彎曲することによって配管類を抱持するバンド抱持部が形成され、  該帯状バンド体の開放両端部に、タンバックルの如き吊下接続部材に接続することによって吊りボルト等から吊下可能となるバンド端部が形成された構成の配管吊下支持具において、  バンド抱持部の左右の側方部の第１係止部には、斜めに吊下げられる第１吊下支持杆・第２吊下支持杆が係合され、第２係止部には、斜めに吊下げられる如き第３吊下支持杆・第４吊下支持杆が係合され、この４点吊下支持と、吊りボルトによる１点吊下支持と、によって少なくとも合計５点吊下支持構成と成る構成。【選択図】        図１
2018132114.tif 000002
【特許請求の範囲】
【請求項１】
一本の帯状バンド体を環状に彎曲することによって配管類を抱持するバンド抱持部が形成されると共に、該帯状バンド体の開放両端部に連設されたバンド端部を有する配管吊下支持具であって、抱持した配管を、天井スラブ等の取付面から複数点吊下支持する配管吊下支持具において、
前記配管吊下支持具が、バンド抱持部によって配管を抱持可能であり、前記バンド端部がタンバックルの如き吊下接続部材に接続されることで吊りボルトからの略鉛直状態での吊下げが可能な構成の配管支持バンドから成り、
前記バンド抱持部には、配管軸に直交するバンド抱持部の左右の側方部に、この左右の側方部の各々を基点として横方向外側に延伸する第１係止部・第２係止部が設けられ、且つ、この第１係止部には第１透孔が、第２係止部には第２透孔が各々形成され、
前記第１係止部の第１透孔には、前記取付面であって前記吊りボルトの吊下位置に対して配管軸方向の前方位置及び後方位置の両方に各一端が固定されて斜めに吊下げられる２本の吊りボルトの如き第１吊下支持杆・第２吊下支持杆の各他端が直接又は間接的に接続取付された状態で係合される構成であり、
前記第２係止部の第２透孔には、前記取付面であって前記吊りボルトの吊下位置に対して配管軸方向の前方位置及び後方位置の両方に各一端が固定されて斜めに吊下げられる２本の吊りボルトの如き第３吊下支持杆・第４吊下支持杆の各他端が直接又は間接的に接続取付された状態で係合される構成であり、
この第１吊下支持杆・第２吊下支持杆・第３吊下支持杆・第４吊下支持杆による４点吊下支持と、前記吊りボルトによる１点吊下支持と、によって少なくとも合計５点吊下支持構成と成ること、
を特徴とする配管吊下支持具。
【請求項２】
前記第１係止部の第１透孔に、少なくとも２つの透孔を有する板状部材から成る第１接続板部材が接続取付された状態であると共に、
前記第２係止部の第２透孔に、少なくとも２つの透孔を有する板状部材から成る第２接続板部材が接続取付された状態であり、
第１接続板部材の２つの透孔に前記第１吊下支持杆・第２吊下支持杆の各々の他端が挿通されてナット螺合された状態であり、
第２接続板部材の２つの透孔に前記第３吊下支持杆・第４吊下支持杆の各々の他端が挿通されてナット螺合された状態であること、
と特徴とする請求項１に記載の配管吊下支持具。
【請求項３】
前記第１係止部の第１透孔が２つの透孔から成ると共に、
前記第２係止部の第２透孔が２つの透孔から成り、
前記第１透孔の２つの透孔の一方に前記第１吊下支持杆の他端が挿通されてナット螺合された状態であり、
前記第１透孔の２つの透孔の他方に前記第２吊下支持杆の他端が挿通されてナット螺合された状態であり、
前記第２透孔の２つの透孔の一方に前記第３吊下支持杆の他端が挿通されてナット螺合された状態であり、
前記第２透孔の重合する２つの透孔の他方に前記第４吊下支持杆の他端が挿通されてナット螺合された状態であること、
を特徴とする請求項１に記載の配管吊下支持具。
【請求項４】
前記第１係止部・第２係止部の各々が、各々の基点よりも下方部分の前記バンド抱持部の一部を切起された状態で横方向外側に延伸して形成された構成であることを特徴とする請求項１〜３のいずれかに記載の配管吊下支持具。
【請求項５】
前記バンド抱持部の下部において帯状バンドの環状方向と平行に且つ並列する２本の切起し部分が設けられた状態であり、
前記第１係止部が、前記２本の内の一方の切起し部分が左方向外側に向かって切起されたことによって左方向外側に延伸した状態の構成であり、
前記第２係止部が、前記２本の内の他方の切起し部分が右方向外側に向かって切起されたことによって右方向外側に延伸した状態の構成であること、
を特徴とする請求項１〜３のいずれかに記載の配管吊下支持具。
【請求項６】
前記第１係止部・第２係止部の各々の基端部近傍の上方部分の帯状バンド体の一部が該基端部側に切起されていると共に、この切り起こされた部分の各々が前記第１係止部・第２係止部の少なくとも一部に重合した状態の構成であることを特徴とする請求項４又は５に記載の配管吊下支持具。
【請求項７】
前記第１係止部・第２係止部の各々が、各々の基点よりも上方部分の抱持バンド部の一部を切起された状態で横方向外側に延伸して形成された上方側係止部と、各々の基点よりも下方部分の抱持バンド部の一部を切起された状態で横方向外側に延伸して形成された下方側係止部と、が重合された状態であり、重合した部分に前記第１透孔・第２透孔が貫通形成された構成であることを特徴とする請求項１〜３のいずれかに記載の配管吊下支持具。
【請求項８】
前記上方側係止部と前記下方側係止部の各々が、その基点部分から前記バンド抱持部の外周面に沿って折り返し横方向外側に延伸するように折曲された状態で重合された構成であることを特徴とする請求項７に記載の配管吊下支持具。
【請求項９】
前記第１係止部・第２係止部の各々が、各々の基点よりも上方部分の前記バンド抱持部の一部を切起された状態で横方向外側に延伸して形成された構成であることを特徴とする請求項１〜３のいずれかに記載の配管吊下支持具。
【請求項１０】
前記第１係止部・第２係止部の各々の基端部近傍の下方部分の帯状バンド体の一部が該基端部側に切起されていると共に、この切り起こされた部分の各々が前記第１係止部・第２係止部の少なくとも一部に重合した状態の構成であることを特徴とする請求項９に記載の配管吊下支持具。
【請求項１１】
前記第１係止部・第２係止部の各々が、前記バンド抱持部の側方部に別材構成の板材の端部を溶接・融着・接着・ネジ留めの如き固着手段により止着した構成であることを特徴とする請求項１〜３のいずれかに記載の配管吊下支持具。
【請求項１２】
前記第１係止部・第２係止部の各々を構成する板材が、断面が略Ｌ字状を有する形状であり、略Ｌ字状の一辺を前記バンド抱持部に止着した構成であることを特徴とする請求項１１に記載の配管吊下支持具。
【請求項１３】
前記第１係止部・第２係止部の各々が、前記バンド抱持部の側方部が横方向外側に突出するように折曲げて重ねることにより重層状態に形成した構成であることを特徴とする請求項１〜３のいずれかに記載の配管支持具。
【発明の詳細な説明】
【技術分野】
【０００１】
本発明は配管吊下支持具に関し、詳しくは天井スラブ等の取付面に、水道管、ガス管、冷・暖房管等の各種配管を配管軸直交方向への揺れと共に配管軸方向への揺れをも抑制乃至は防止した状態で吊下支持する配管吊下支持具に関する。
【背景技術】
【０００２】
天井スラブ等の取付面に吊りボルト等の支持部材による吊下支持に加えて前記取付面から斜めに垂設した１本又は２本の吊下支持杆を付加すること等によって２点支持乃至は３点吊下支持したり、或いは２本の吊下支持杆によって２点吊下支持することで防振（防震）構造とした技術としては、例えば、特許文献１〜３に記載のもの等が知られている。
【０００３】
特許文献１に示す技術では、従来構成のままの既存のタンバックル及び配管支持具に装着することで３点吊下支持可能な技術であるが、他部材である２枚の板状部材を必要とするため、かかる部品点数の増加によって現場での部品管理の煩雑さや装着時の手間等が新たに加わることとなっている。
【０００４】
特許文献２及び３に示す技術は、配管支持具のバンド抱持部の外面に吊下支持杆との係合部が設けられているため、新たな部材の追加の問題はなく部品管理等の煩雑さ等は無いが、配管支持具自体のコストが上昇せざるを得ない。
【０００５】
以上のことから、現場での部品管理や装着時の手間等が増すことなく、コストアップを抑制することができる配管吊下支持具の要請があることが判った。
【０００６】
更に本発明者が当該技術について鋭意研究を続けたところ、強い横揺れが発生した場合、配管を抱持した状態で取付面から吊下げられる配管支持具は、取付面と吊りボルトとの接続部、吊りボルトとタンバックルとの接続部、タンバックルと配管支持具との接続部からバンド抱持部の上端部分までの部分、等の箇所に負荷がかかり、特に配管を抱持する部分の直上であるバンド抱持部の上端部分に大きな負荷がかかることが判った。
【０００７】
本発明者の研究によれば、前記特許文献１〜３に示す技術では強い横揺れが発生した際には、取付面と吊りボルトとの接続部、吊りボルトとタンバックルとの接続部、タンバックルと配管支持具との接続部については防振（防震）性を発揮することができるが、バンド抱持部の上端部分での防振（防震）性については不充分な場合があることが判った。
【０００８】
そこで本発明者は、配管を抱持するバンド抱持部の一部を切り起して切起し係止部を形成し、この切起し係止部に、取付面から吊下げられた１本又は２本の吊下げ支持杆を係合可能とすることにより、２点又は３点吊下げ支持可能な配管吊下支持具を提案した（特許文献４〜６参照）。
【先行技術文献】
【特許文献】
【０００９】
【特許文献１】特開２００４−１５０４５２号
【特許文献２】実用新案登録第２５２４３４０号
【特許文献３】登録実用新案第３１４８３６１号
【特許文献４】登録実用新案第３１５３１８５号
【特許文献５】登録実用新案第３１５３５４５号
【特許文献６】登録実用新案第３１５３５４６号
【発明の概要】
【発明が解決しようとする課題】
【００１０】
本発明者はかかる技術について更に研究を進めたところ、近年、配管類として鋼管に代わって合成樹脂管（ポリエチレン管、架橋ポリエチレン管、ポリブデン管、塩化ビニル管、プロピレン管、ＡＢＳ管等）が用いられるようになってきており、今後、大部分の配管類が鋼管から合成樹脂管に代わることが想定される。
【００１１】
合成樹脂管は、高い耐蝕性を有し、しかも鋼管と同等乃至同等以上の耐熱性及び耐衝撃性を有するのに鋼管に比して軽量であり、更に加工が容易であるため、取扱性等の点で優れている。
【００１２】
本発明者は、かかる合成樹脂管の配管支持技術について鋭意研究を続けたところ、合成樹脂管は上記したように軽量であるため、従来の鋼管用の支持具が求められるほどの堅牢度・強度等が不要であることを見出した。
【００１３】
そこで本発明の課題は、軽量な合成樹脂管の抱持支持に適したものであって、現場での部品管理や装着時の手間等が増すことなくコストアップを抑制することができ、且つ強い揺れ（配管軸方向における揺れ、配管軸直交方向における揺れ）に対して防振（防震）性を発揮することができる配管吊下支持具を提供することにある。
【課題を解決するための手段】
【００１４】
上記課題を解決する本発明は下記構成を有する。
【００１５】
１．一本の帯状バンド体を環状に彎曲することによって配管類を抱持するバンド抱持部が形成されると共に、該帯状バンド体の開放両端部に連設されたバンド端部を有する配管吊下支持具であって、抱持した配管を、天井スラブ等の取付面から複数点吊下支持する配管吊下支持具において、
前記配管吊下支持具が、バンド抱持部によって配管を抱持可能であり、前記バンド端部がタンバックルの如き吊下接続部材に接続されることで吊りボルトからの略鉛直状態での吊下げが可能な構成の配管支持バンドから成り、
前記バンド抱持部には、配管軸に直交するバンド抱持部の左右の側方部に、この左右の側方部の各々を基点として横方向外側に延伸する第１係止部・第２係止部が設けられ、且つ、この第１係止部には第１透孔が、第２係止部には第２透孔が各々形成され、
前記第１係止部の第１透孔には、前記取付面であって前記吊りボルトの吊下位置に対して配管軸方向の前方位置及び後方位置の両方に各一端が固定されて斜めに吊下げられる２本の吊りボルトの如き第１吊下支持杆・第２吊下支持杆の各他端が直接又は間接的に接続取付された状態で係合される構成であり、
前記第２係止部の第２透孔には、前記取付面であって前記吊りボルトの吊下位置に対して配管軸方向の前方位置及び後方位置の両方に各一端が固定されて斜めに吊下げられる２本の吊りボルトの如き第３吊下支持杆・第４吊下支持杆の各他端が直接又は間接的に接続取付された状態で係合される構成であり、
この第１吊下支持杆・第２吊下支持杆・第３吊下支持杆・第４吊下支持杆による４点吊下支持と、前記吊りボルトによる１点吊下支持と、によって少なくとも合計５点吊下支持構成と成ること、
を特徴とする配管吊下支持具。
【００１６】
２．前記第１係止部の第１透孔に、少なくとも２つの透孔を有する板状部材から成る第１接続板部材が接続取付された状態であると共に、
前記第２係止部の第２透孔に、少なくとも２つの透孔を有する板状部材から成る第２接続板部材が接続取付された状態であり、
第１接続板部材の２つの透孔に前記第１吊下支持杆・第２吊下支持杆の各々の他端が挿通されてナット螺合された状態であり、
第２接続板部材の２つの透孔に前記第３吊下支持杆・第４吊下支持杆の各々の他端が挿通されてナット螺合された状態であること、
と特徴とする上記１に記載の配管吊下支持具。
【００１７】
３．前記第１係止部の第１透孔が２つの透孔から成ると共に、
前記第２係止部の第２透孔が２つの透孔から成り、
前記第１透孔の２つの透孔の一方に前記第１吊下支持杆の他端が挿通されてナット螺合された状態であり、
前記第１透孔の２つの透孔の他方に前記第２吊下支持杆の他端が挿通されてナット螺合された状態であり、
前記第２透孔の２つの透孔の一方に前記第３吊下支持杆の他端が挿通されてナット螺合された状態であり、
前記第２透孔の重合する２つの透孔の他方に前記第４吊下支持杆の他端が挿通されてナット螺合された状態であること、
を特徴とする上記１に記載の配管吊下支持具。
【００１８】
４．前記第１係止部・第２係止部の各々が、各々の基点よりも下方部分の前記バンド抱持部の一部を切起された状態で横方向外側に延伸して形成された構成であることを特徴とする上記１〜３のいずれかに記載の配管吊下支持具。
【００１９】
５．前記バンド抱持部の下部において帯状バンドの環状方向と平行に且つ並列する２本の切起し部分が設けられた状態であり、
前記第１係止部が、前記２本の内の一方の切起し部分が左方向外側に向かって切起されたことによって左方向外側に延伸した状態の構成であり、
前記第２係止部が、前記２本の内の他方の切起し部分が右方向外側に向かって切起されたことによって右方向外側に延伸した状態の構成であること、
を特徴とする上記１〜３のいずれかに記載の配管吊下支持具。
【００２０】
６．前記第１係止部・第２係止部の各々の基端部近傍の上方部分の帯状バンド体の一部が該基端部側に切起されていると共に、この切り起こされた部分の各々が前記第１係止部・第２係止部の少なくとも一部に重合した状態の構成であることを特徴とする上記４又は５に記載の配管吊下支持具。
【００２１】
７．前記第１係止部・第２係止部の各々が、各々の基点よりも上方部分の抱持バンド部の一部を切起された状態で横方向外側に延伸して形成された上方側係止部と、各々の基点よりも下方部分の抱持バンド部の一部を切起された状態で横方向外側に延伸して形成された下方側係止部と、が重合された状態であり、重合した部分に前記第１透孔・第２透孔が貫通形成された構成であることを特徴とする上記１〜３のいずれかに記載の配管吊下支持具。
【００２２】
８．前記上方側係止部と前記下方側係止部の各々が、その基点部分から前記バンド抱持部の外周面に沿って折り返し横方向外側に延伸するように折曲された状態で重合された構成であることを特徴とする上記７に記載の配管吊下支持具。
【００２３】
９．前記第１係止部・第２係止部の各々が、各々の基点よりも上方部分の前記バンド抱持部の一部を切起された状態で横方向外側に延伸して形成された構成であることを特徴とする上記１〜３のいずれかに記載の配管吊下支持具。
【００２４】
１０．前記第１係止部・第２係止部の各々の基端部近傍の下方部分の帯状バンド体の一部が該基端部側に切起されていると共に、この切り起こされた部分の各々が前記第１係止部・第２係止部の少なくとも一部に重合した状態の構成であることを特徴とする上記９に記載の配管吊下支持具。
【００２５】
１１．前記第１係止部・第２係止部の各々が、前記バンド抱持部の側方部に別材構成の板材の端部を溶接・融着・接着・ネジ留めの如き固着手段により止着した構成であることを特徴とする上記１〜３のいずれかに記載の配管吊下支持具。
【００２６】
１２．前記第１係止部・第２係止部の各々を構成する板材が、断面が略Ｌ字状を有する形状であり、略Ｌ字状の一辺を前記バンド抱持部に止着した構成であることを特徴とする上記１１に記載の配管吊下支持具。
【００２７】
１３．前記第１係止部・第２係止部の各々が、前記バンド抱持部の側方部が横方向外側に突出するように折曲げて重ねることにより重層状態に形成した構成であることを特徴とする上記１〜３のいずれかに記載の配管支持具。
【発明の効果】
【００２８】
請求項１に示す発明によれば、軽量な合成樹脂管の抱持支持に適したものであって、現場での部品管理や装着時の手間等が増すことなくコストアップを抑制することができ、且つ強い揺れ（配管軸方向における揺れ、配管軸直交方向における揺れ）に対して防振（防震）性を発揮することができる配管吊下支持具を提供することができる。
【００２９】
特に、一本の帯状バンド体から成るバンド抱持部を有するいわゆる提灯式の配管支持バンドと呼ばれる配管吊下支持具に適用する構成によって、配管吊下支持具の単価を下げることができる。しかも、吊りボルトによる吊下支持に加えて、配管軸直交方向及び配管軸方向における揺れに対する防振（防震）性を発揮する第１吊下支持杆・第２吊下支持杆・第３吊下支持杆・第４吊下支持杆と、を係合する５点吊下支持構成によって、極めて効果的に強い揺れに対する防振（防震）性を発揮させることができる。従って、揺れ時に生じる、取付面と吊りボルトとの接続部、吊りボルトとタンバックルとの接続部、タンバックルと配管支持具との接続部からバンド抱持部の上端部分までの部分、等の各箇所への負荷を著しく減じることができ、極めて強力な耐震性を発揮させることができる。
【００３０】
尚、提灯式の配管支持バンドは、軽量配管である合成樹脂管の抱持支持に適しており、一本の帯状バンド体で形成された極めて簡易な構成を有するので低廉である。従って、本発明の構成を適用することにより、横揺れに対しても防振（防震）性を発揮することができる配管吊下支持具を低コストで提供することが可能となる。
【００３１】
請求項２に示す発明によれば、第１係止部に第１吊下支持杆・第２吊下支持杆を、第２係止部に第３吊下支持杆・第４吊下支持杆を、各々板状部材である第１接続板部材・第２接続板部材を介して関節的に係合接続することができるので防振（防震）性を発揮した状態での複数点吊下支持が得られる。
【００３２】
請求項３に示す発明によれば、第１係止部に第１吊下支持杆・第２吊下支持杆を、第２係止部に第３吊下支持杆・第４吊下支持杆を、各々直接係合接続することができるので防振（防震）性を発揮した状態での複数点吊下支持が得られる。
【００３３】
請求項４に示す発明によれば、バンド抱持部を切り起こすだけで第１係止部・第２係止部が形成可能であるため、別部材を付加することもないし、切取加工等によって廃棄が必要となる部材も生じることもなく、低コスト化が可能な上に環境適正にも優れている。
【００３４】
請求項５に示す発明によれば、第１係止部・第２係止部の各々の切起し長さを長くすることも可能である。
【００３５】
請求項６に示す発明によれば、第１係止部・第２係止部の各々が重合切起し部の重合によって補強されるので、別部材を付加することなく重量の増加を招くことなく、第１係止部・第２係止部の強度を高くすることができる。
【００３６】
請求項７に示す発明によれば、第１係止部・第２係止部の各々が重合させた２枚構成を有するので１枚構成に比して強度が増すことによって抱持支持の安定性と防振（防震）性が向上する。
【００３７】
請求項８に示す発明によれば、切り起こし形成の基点部分の強度低下を抑制することができる。
【００３８】
請求項９に示す発明によれば、第１係止部・第２係止部の各々がバンド抱持部を切り起こすだけで加工可能であるため、別部材を付加することもないし、切取加工等によって廃棄が必要となる部材も生じることもなく、低コスト化が可能な上に環境適正にも優れている。
【００３９】
請求項１０に示す発明によれば、第１係止部・第２係止部の各々が重合切起し部の重合によって補強されるので、別部材を付加することなく重量の増加を招くことなく、第１係止部・第２係止部の強度を高くすることができる。
【００４０】
請求項１１に示す発明によれば、バンド抱持部の強度を低下させることなく第１係止部・第２係止部を設けることができる。
【００４１】
請求項１２に示す発明によれば、第１係止部・第２係止部のバンド抱持部に対する止着強度を向上させることができる。
【００４２】
請求項１３に示す発明によれば、バンド抱持部の一部を折曲げて重ねることにより重層状態に形成した構成により、バンド抱持部の強度を落とすことなく、高強度の第１係止部・第２係止部を得ることができる。しかも、第１係止部・第２係止部は、バンド抱持部を部分的に折曲げただけで加工可能なので、別部材を付加することもないし、切り取り加工等によって廃棄が必要となる部材も生じることもなく、低コスト化が可能なだけでなく、環境適正にも優れている。
【図面の簡単な説明】
【００４３】
【図１】本発明に係る配管吊下支持具の使用状態の実施例を示す概略正面図（配管軸方向から見た図）
【図２】図１の概略側面図（配管軸直交方向から見た図）
【図３】図１及び図２に用いられる配管吊下支持具の第１実施例を示す５面図（正面図、平面図、底面図、左側面図、Ａ−Ａ断面図）
【図４】本発明に係る配管吊下支持具の第２実施例を示す５面図（正面図、平面図、底面図、左側面図、Ａ−Ａ断面図）
【図５】本発明に係る配管吊下支持具の第３実施例を示す７面図（正面図、平面図、底面図、左側面図、右側面図、Ｂ−Ｂ断面図、Ｃ−Ｃ断面図）
【図６】本発明に係る配管吊下支持具の第４実施例を示す６面図（正面図、平面図、底面図、左側面図、右側面図、Ｂ−Ｂ断面図、Ｃ−Ｃ断面図）
【図７】第１係止部の一例を示す要部拡大断面図
【図８】第１係止部の他の例を示す要部拡大断面図
【図９】第１係止部の他の例を示す要部拡大正面図
【図１０】第１係止部の他の例を示す要部拡大正面図
【図１１】第１係止部の他の例を示す要部拡大正面図
【図１２】第１係止部（第２係止部）と第１吊下支持杆・第２吊下支持杆の接続構成の一例を示す要部拡大側面図
【図１３】第１係止部（第２係止部）と第１吊下支持杆・第２吊下支持杆の接続部の他の例を示す要部拡大側面図
【発明を実施するための形態】
【００４４】
次に、添付の図面に従って本発明を詳細に説明する。
【００４５】
本発明に係る配管吊下支持具は、給水管、給湯管、排水管等の種々配管を、天井スラブ等の如き取付面から垂設された１本の吊りボルトと前記取付面から斜めに垂設した４本の吊下支持杆によって防振（防震）状態で５点吊下支持するものである。
【００４６】
固定支持する種々の配管としては、従来一般的であった鋼管に代わって近年多く用いられるようになった合成樹脂管（ポリエチレン管、架橋ポリエチレン管、ポリブデン管、塩化ビニル管、プロピレン管、ＡＢＳ管等）の固定支持に本発明は特に有効である。尚、本発明は合成樹脂管の固定支持に特に有効であるが、従来の鋼管の固定支持も可能であり、固定支持する配管として鋼管を排除するものではない。
【００４７】
本発明の配管吊下支持具の具体的構成としては、図１〜図３に示すように、
配管吊下支持具１は一本の帯状バンド体を環状に彎曲することによって配管Ｐを抱持するバンド抱持部１１が形成されると共に、該帯状バンド体の開放両端部に連設されたバンド端部１３・１３を有する構成において、
前記配管支持具１が、バンド抱持部１１によって配管Ｐを抱持可能であり、前記バンド端部１３・１３がタンバックルの如き吊下接続部材３１に接続されることで吊りボルト３からの略鉛直状態での吊下げが可能な構成であり、
前記バンド抱持部１１には、配管軸に直交するバンド抱持部１１の左右の側方部に、この左右の側方部の各々を基点として横方向外側に延伸する第１係止部１４・第２係止部１５が設けられ、且つ、この第１係止部１４には第１透孔１４Ａが、第２係止部１５には第２透孔１５Ａが各々形成され、
前記第１係止部１４の第１透孔１４Ａには、前記取付面２であって前記吊りボルト３の吊下位置に対して配管軸方向の前方位置及び後方位置の両方に各一端が固定されて斜めに吊下げられる２本の吊りボルトの如き第１吊下支持杆６・第２吊下支持杆７の各他端が直接又は間接的に接続取付された状態で係合される構成であり、
前記第２係止部１５の第２透孔１５Ａには、前記取付面２であって前記吊りボルト３の吊下位置に対して配管軸方向の前方位置及び後方位置の両方に各一端が固定されて斜めに吊下げられる２本の吊りボルトの如き第３吊下支持杆８・第４吊下支持杆９の各他端が直接又は間接的に接続取付された状態で係合される構成であり、
この第１吊下支持杆６・第２吊下支持杆７・第３吊下支持杆８・第４吊下支持杆９による４点吊下支持と、前記吊りボルト３による１点吊下支持と、によって少なくとも合計５点吊下支持構成と成ること、
を主構成とするものである。
【００４８】
尚、第１係止部１４の第１透孔１４Ａへの第１吊下支持杆６・第２吊下支持杆７の各一端の接続取付は、図１及び図２に示す本実施例においてはナット６１・ナット７１の螺合によって行われる。尚また、符号１６は吊下接続部材３１にバンド端部１３・１３を接続固定するためのボルト・ナットを示す。
【００４９】
以下、本発明の構成について更に詳説する。
【００５０】
本発明の配管吊下支持具１は、この種の配管吊下支持具に用いられる材料として公知公用のものを特別の制限なく用いることができ、好ましくはステンレスやその他の金属製である。
【００５１】
配管吊下支持具１の第１係止部１４・第２係止部１５は、その形成に際しての基点位置が本実施例ではバンド抱持部１１の左右の側方部の略中央位置であるが、略中央位置より上方位置或いは下方位置であってもよく、この基点の位置を含めて第１係止部１４・第２係止部１５の延伸角度については、第１係止部１４・第２係止部１５に螺合係止される第１吊下支持杆６・第２吊下支持杆７・第３吊下支持杆８・第４吊下支持杆９の吊下げ角度等の諸条件によって適宜設定される。
【００５２】
第１係止部１４・第２係止部１５の形成構成としては、図１〜図３に示す本実施例では、切起こし形成により形成されている。
即ち、図１〜図３に示す本実施例では、バンド抱持部１１の最下部１２の略中央線の位置部分から左方向と右方向に切り分けて各々を外側方向に向かって切り起こすことにより、左右方向外側の各々に延伸するように第１係止部１４・第２係止部１５が形成される構成になっている。かかる構成によれば、左右に延伸する第１係止部１４・第２係止部１５の各々を幅広く形成することも可能である。
【００５３】
尚、図３に示す符号１１Ｃは、第１係止部１４・第２係止部１５が切り起こされることで連続する一つの孔部となったバンド抱持部１１の被切起し孔部である。
【００５４】
尚また、第１係止部１４・第２係止部１５の各々について、各々の切起した基点部分をスポット溶接の如き補強手段を用いて補強する構成が好ましく、かかる構成によれば、切起し部分の破断や裂けを抑制できるので、この切起した起点部分の強度を高くすることができる。
【００５５】
次に、図４に示す第１係止部１４・第２係止部１５の第２実施例について説明する。
【００５６】
図４に示す本発明の第２実施例は、図１〜図３に示す第１実施例の構成中の第１係止部１４・第２係止部１５の夫々に対して、補強用の重合補強部１４Ｄ・１５Ｄを各々重合させた構成である。
【００５７】
重合補強部１４Ｄ・１５Ｄは、前記第１係止部１４・第２係止部１５の各々の基端部近傍の上方部分を該基端部側に切起こし、この切起した部分を前記第１係止部１４・第２係止部１５の各々の少なくとも一部重合させることにより形成されている。
【００５８】
尚、図４に示す符号１１Ｄ・１１Ｅは重合補強部１４Ｄ・１５Ｄが切り起こされることで孔部となったバンド抱持部１１の被切起し孔部である。
【００５９】
また、第１係止部１４と重合補強部１４Ｄ、第２係止部１５と重合補強部１５Ｄとは、各々その重合部分をスポット溶接の如き接合手段を用いて接合する構成が好ましく、かかる構成によれば、第１係止部１４・第２係止部１５の強度を高くすることができる。
【００６０】
更に、第１係止部１４・第２係止部１５・重合補強部１４Ｄ・重合補強部１５Ｄの各々について、各々の切起した基点部分をスポット溶接の如き補強手段を用いて補強する構成が好ましく、かかる構成によれば、切起し部分の破断や裂けを抑制できるので、この切起した起点部分の強度を高くすることができる。
【００６１】
次に、図５に示す第１係止部１４・第２係止部１５の第３実施例について説明する。
【００６２】
図５に示す本発明の第３実施例では、バンド抱持部１１の最下部１２に、帯状バンドの環状方向と平行に且つ並列する２本の切起し部分を設け、この２本の内の一方の切起し部分を左方向外側に向かって切起して第１係止部１４を形成し、他方の切起し部分を右方向外側に向かって切起すことにより第２係止部１５を形成する構成である。かかる構成によれば、左右に延伸する第１係止部１４・第２係止部１５の各々の切起し長さを長くすることも可能である。
【００６３】
尚、図５に示す符号１１Ａ・１１Ｂは、第１係止部１４・第２係止部１５の各々が切り起こされることで孔部となったバンド抱持部１１の被切起し孔部である。
【００６４】
次に、図６に示す第１係止部１４・第２係止部１５の第４実施例について説明する。
【００６５】
図６に示す本発明の第４実施例は、図５に示す第３実施例の第１係止部１４・第２係止部１５の夫々に対して、補強用の重合補強部１４Ｄ・１５Ｄを各々重合させた構成である。
【００６６】
重合補強部１４Ｄ・１５Ｄは、前記第１係止部１４・第２係止部１５の各々の基端部近傍の上方部分を該基端部側に切起こし、この切起した部分を前記第１係止部１４・第２係止部１５の各々の少なくとも一部重合させることにより形成されている。
【００６７】
尚、図６に示す符号１１Ｄ・１１Ｅは重合補強部１４Ｄ・１５Ｄが切り起こされることで孔部となったバンド抱持部１１の被切起し孔部である。
【００６８】
また、第１係止部１４と重合補強部１４Ｄ、第２係止部１５と重合補強部１５Ｄとは、各々その重合部分をスポット溶接の如き接合手段を用いて接合する構成が好ましく、かかる構成によれば、第１係止部１４・第２係止部１５の強度を高くすることができる。
【００６９】
更に、第１係止部１４・第２係止部１５・重合補強部１４Ｄ・重合補強部１５Ｄの各々について、各々の切起した基点部分をスポット溶接の如き補強手段を用いて補強する構成が好ましく、かかる構成によれば、切起し部分の破断や裂けを抑制できるので、この切起した起点部分の強度を高くすることができる。
【００７０】
次に、図７に示す第１係止部１４・第２係止部１５の第５実施例について説明する。
【００７１】
図７に示す本発明の第５実施例は、第１係止部１４・第２係止部１５の各々が、各々の基点よりも上方部分の抱持バンド部１１の一部を切起された状態で横方向外側に延伸して形成された上方側係止部１４Ｂ・１５Ｂと、各々の基点よりも下方部分の抱持バンド部１１の一部を切起された状態で横方向外側に延伸して形成された下方側係止部１４Ｃ・１５Ｃと、が重合された状態であり、重合した部分に前記第１透孔１４Ａ・第２透孔１５Ａが貫通形成された構成となっている。図７に示す符号１１Ａ・１１Ｂは切起こし形成により切り起されることで孔部となったバンド抱持部１１の被切起し孔部である。
【００７２】
図７に示すように、第１係止部１４を構成する上方側係止部１４Ｂと下方側係止部１４Ｃは、バンド抱持部１１の側方部を基点として切起してから外側に方向に向かって立ち上げる際に、基点部分から前記バンド抱持部１１の外周面に沿って折り返してから横方向外側に延伸するように折り曲げて重合される構成とすることが好ましい。図７に示す符号１４Ｄはバンド抱持部１１の外周面に沿って折り返した折り返し部である。かかる構成によれば、上方側係止部１４Ｂと下方側係止部１４Ｃの基点部分の強度低下を抑制することができる。尚、図７において、（）内に示す符号は、第２係止部１５の各構成、即ち、上方側係止部１５Ｂ、下方側係止部１５Ｃ、折り返し部１５Ｄ、第２透孔１５Ａを各々示す。
【００７３】
更に、第１係止部１４・第２係止部１５を構成する上方側係止部１４Ｂ・１５Ｂと下方側係止部１４Ｃ・１５Ｃの各々について、各々の切起した基点部分をスポット溶接の如き補強手段を用いて補強する構成が好ましく、かかる構成によれば、切起し部分の破断や裂けを抑制できるので、この切起した起点部分の強度を高くすることができる。
【００７４】
更にまた、第１係止部１４・第２係止部１５を構成する上方側係止部１４Ｂ・１５Ｂと下方側係止部１４Ｃ・１５Ｃとは、その重合部分をスポット溶接の如き接合手段を用いて接合する構成が好ましく、かかる構成によれば、第１係止部１４・第２係止部１５の重合部分の強度を高くすることができる。
【００７５】
第１係止部１４・第２係止部１５の各々は、上記実施例のように重合した２枚構成に限らず、図８〜図１０に示すように１枚構成であってもよい。尚、下記に説明する図８〜図１０並びに図１１は、第１係止部１４側のみを示しているが、第２係止部１５についても第１係止部１４と同様の構成を採ることができるため、図示を省略する。
【００７６】
図８に示す態様は、第１係止部１４・第２係止部１５の各々が、その基点よりも上方部分の前記バンド抱持部１１の一部を切起された状態で横方向外側に延伸して形成された構成を示す。
【００７７】
図９に示す態様は、第１係止部１４・第２係止部１５の各々が、前記バンド抱持部１１の側方部に別材構成の板材の端部を溶接・融着・接着・ネジ留めの如き固着手段（本実施例では溶接を示す。）により止着した構成を示す。
【００７８】
図１０に示す態様は、第１係止部１４・第２係止部１５の各々を構成する板材が、断面が略Ｌ字状を有する形状であり、略Ｌ字状の一辺を前記バンド抱持部１１に止着した構成を示す。
【００７９】
また、図１１に示す態様は、上記実施例と同様に第１係止部１４・第２係止部１５の各々を２枚構成とした態様の他の実施例であり、本態様では、前記バンド抱持部１１の側方部が横方向外側に突出するように折曲げて重ねることにより重層状態に形成した構成を示す。
【００８０】
以上の構成を有する本発明の配管吊下支持具は、その使用に際して図１及び図２に示すように、
天井スラブ等の取付面２に一端が固定された吊りボルト３にタンバックルの如き吊下接続部材３１を介してバンド端部１３をボルト・ナット１６により固定することで配管吊下支持具１を前記取付面２に吊下支持し（第１点目の吊下支持）、
次に、前記取付面２に一端が固定され、斜め吊下げする公知公用の吊りボルトの如き第１吊下支持杆６・第２吊下支持杆７の他端を第１係止部１４の第１透孔１４Ａに挿通してナット６１・７１によって螺合緊締することによって斜め吊下支持する（第２点目・第３点目の斜め吊下支持）と共に、
前記取付面２に一端が固定され、斜め吊下げする公知公用の吊りボルトの如き第３吊下支持杆８・第４吊下支持杆９の他端を第２係止部１５の第２透孔１５Ａに挿通してナット８１・９１を螺合緊締することによって斜め吊下支持する（第４点目・第５点目の吊下支持）ことによって、
配管Ｐを５点吊下支持することができる。
【００８１】
上記の５点吊下支持によれば、吊りボルト３による吊下支持に加えて、配管軸直交方向・配管軸方向における揺れに対する防振（防震）性を発揮する第１吊下支持杆６・第２吊下支持杆７・第３吊下支持杆８・第４吊下支持杆９と、を係合する５点吊下支持構成によって、極めて効果的に強い揺れに対する防振（防震）性を発揮させることができる。従って、揺れ時に生じる、取付面２と吊りボルト３との接続部、吊りボルト３とタンバックルとの接続部、タンバックルと配管吊下支持具１との接続部からバンド抱持部１１の上端部分までの部分、等の各箇所への負荷を著しく減じることができ、極めて強力な耐震性を発揮させることができる。
【００８２】
尚、図１及び図２では、第１係止部１４に対する第１吊下支持杆６・第２吊下支持杆７の接続、第２係止部１５に対する第３吊下支持杆８・第４吊下支持杆９の接続は、いずれも第１係止部１４・第２係止部１５の接続部分の面に対して斜めに各２本ずつが挿通状態で接続されるため、第１透孔１４Ａ・第２透孔１５Ａは、各々２本の吊りボルト（第１吊下支持杆６と第２吊下支持杆７の２本、第３吊下支持杆８と第４吊下支持杆９の２本）の端部が挿通可能な直径及び／又は形状に穿かれていることが好ましく、本実施例では、図３に示すように、第１透孔１４Ａ・第２透孔１５Ａは長孔に穿かれている。尚、長孔に代えて、２本の吊りボルトの端部が挿通可能な大径の透孔であってもよい。
【００８３】
上記の第１係止部１４に対する第１吊下支持杆６・第２吊下支持杆７の接続構成、第２係止部１５に対する第３吊下支持杆８・第４吊下支持杆９の接続構成としては、図１２、図１３に示す態様を採ることもできる。
【００８４】
図１２に示す接続構成は、第１係止部１４（第２係止部１５）の透孔を２つ形成することにより、２つの透孔から成る第１透孔１４Ａ・１４Ａ（第２透孔１５Ａ・１５Ａ）の一方の透孔に第１吊下支持杆６（第３吊下支持杆８）を挿通してナット６１（ナット８１）により緊締すると共に、他方の透孔に第２吊下支持杆７（第４吊下支持杆９）を挿通してナット７１（ナット９１）により緊締する構成である。図１２において、（）内に示す符号は、第２係止部１５の各構成、即ち、第２係止部１５、第３吊下支持杆８、ナット８１、第４吊下支持杆９、ナット９１を各々示す。
【００８５】
図１３に示す接続構成は、第１係止部１４（第２係止部１５）に、複数の透孔が設けられた板状部材から成る第１接続板部材１０Ａ（第２接続板部材１０Ｂ）をボルト・ナットの如き接続手段により接続し、この第１接続板部材１０Ａ（第２接続板部材１０Ｂ）に設けられた２つの透孔の内の一方の透孔に第１吊下支持杆６（第３吊下支持杆８）を挿通してナット６１（ナット８１）により緊締すると共に、他方の透孔に第２吊下支持杆７（第４吊下支持杆９）を挿通してナット７１（ナット９１）により緊締する構成である。図１３において、（）内に示す符号は、第２係止部１５の各構成、即ち、第２係止部１５、第３吊下支持杆８、ナット８１、第４吊下支持杆９、ナット９１、第２接続板部材１０Ｂを各々示す。
【符号の説明】
【００８６】
１  配管吊下支持具
１０Ａ  第１接続板部材
１０Ｂ  第２接続板部材
１０Ｃ  ボルト・ナット
１１  バンド抱持部
１１Ａ  被切起し孔部
１１Ｂ  被切起し孔部
１１Ｃ  被切起し孔部
１１Ｄ  被切起し孔部
１２  最下部
１３  バンド端部
１４  第１係止部
１４Ａ  第１透孔
１４Ｂ  上方側係止部
１４Ｃ  下方側係止部
１４Ｄ  折り返し部
１５  第２係止部
１５Ａ  第２透孔
１５Ｂ  上方側係止部
１５Ｃ  下方側係止部
１５Ｄ  折り返し部
１６  ボルト・ナット
２  取付面
３  吊りボルト
３１  吊下接続部材
６  第１吊下支持杆
６１  ナット
７  第２吊下支持杆
７１  ナット
８  第３吊下支持杆
８１  ナット
９  第４吊下支持杆
９１  ナット
Ｐ  配管
【図１】
2018132114.tif 000003
【図２】
2018132114.tif 000004
【図３】
2018132114.tif 000005
【図４】
2018132114.tif 000006
【図５】
2018132114.tif 000007
【図６】
2018132114.tif 000008
【図７】
2018132114.tif 000009
【図８】
2018132114.tif 000010
【図９】
2018132114.tif 000011
【図１０】
2018132114.tif 000012
【図１１】
2018132114.tif 000013
【図１２】
2018132114.tif 000014
【図１３】
2018132114.tif 000015
【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
一本の帯状バンド体を環状に彎曲することによって配管類を抱持するバンド抱持部が形成されると共に、該帯状バンド体の開放両端部に連設されたバンド端部を有する配管吊下支持具であって、抱持した配管を、天井スラブ等の取付面から複数点吊下支持する配管吊下支持具において、
前記配管吊下支持具が、バンド抱持部によって配管を抱持可能であり、前記バンド端部がタンバックルの如き吊下接続部材に接続されることで吊りボルトからの略鉛直状態での吊下げが可能な構成の配管支持バンドから成り、
前記バンド抱持部には、配管軸に直交するバンド抱持部の左右の側方部に、この左右の側方部の各々を基点として横方向外側に延伸する第１係止部・第２係止部が設けられ、且つ、この第１係止部には第１透孔が、第２係止部には第２透孔が各々形成され、
前記第１係止部の第１透孔には、前記取付面であって前記吊りボルトの吊下位置に対して配管軸方向の前方位置に一端が固定されて斜めに吊下げられる吊りボルトの如き第１吊下支持杆の他端が配管に近い内側に直接接続取付された状態で係合されると共に、前記取付面であって前記吊りボルトの吊下位置に対して配管軸方向の後方位置に一端が固定されて斜めに吊下げられる吊りボルトの如き第２吊下支持杆の他端が配管から遠い外側に直接接続取付された状態で係合されることにより、第１吊下支持杆と第２吊下支持杆の斜め吊り方向が前方と後方の反対方向と成る構成であり、
前記第２係止部の第２透孔には、前記取付面であって前記吊りボルトの吊下位置に対して配管軸方向の後方位置に一端が固定されて斜めに吊下げられる吊りボルトの如き第３吊下支持杆の他端が配管に近い内側に直接接続取付された状態で係合されると共に、前記取付面であって前記吊りボルトの吊下位置に対して配管軸方向の前方位置に一端が固定されて斜めに吊下げられる吊りボルトの如き第４吊下支持杆の他端が配管から遠い外側に直接接続取付された状態で係合されることにより、第３吊下支持杆と第４吊下支持杆の斜め吊り方向が後方と前方の反対方向と成る構成であり、
更に、配管軸に直交する方向において、配管に近い内側に接続される第１吊下支持杆と第３吊下支持杆の斜め吊り方向が前方と後方の反対方向と成り、配管から遠い外側に接続される第２吊下支持杆と第４吊下支持杆の斜め吊り方向が後方と前方の反対方向と成り、
この第１吊下支持杆・第２吊下支持杆・第３吊下支持杆・第４吊下支持杆による４点吊下支持と、前記吊りボルトによる１点吊下支持と、によって少なくとも合計５点吊下支持構成と成ること、
を特徴とする配管吊下支持具。
【請求項２】
前記第１係止部の第１透孔が２つの透孔から成ると共に、
前記第２係止部の第２透孔が２つの透孔から成り、
前記第１透孔の２つの透孔の一方に前記第１吊下支持杆の他端が挿通されてナット螺合された状態であり、
前記第１透孔の２つの透孔の他方に前記第２吊下支持杆の他端が挿通されてナット螺合された状態であり、
前記第２透孔の２つの透孔の一方に前記第３吊下支持杆の他端が挿通されてナット螺合された状態であり、
前記第２透孔の２つの透孔の他方に前記第４吊下支持杆の他端が挿通されてナット螺合された状態であること、
を特徴とする請求項１に記載の配管吊下支持具。
【請求項３】
前記第１係止部・第２係止部の各々が、各々の基点よりも下方部分の前記バンド抱持部の一部を切起された状態で横方向外側に延伸して形成された構成であることを特徴とする請求項１又は２に記載の配管吊下支持具。
【請求項４】
前記バンド抱持部の下部において帯状バンドの環状方向と平行に且つ並列する２本の切起し部分が設けられた状態であり、
前記第１係止部が、前記２本の内の一方の切起し部分が左方向外側に向かって切起されたことによって左方向外側に延伸した状態の構成であり、
前記第２係止部が、前記２本の内の他方の切起し部分が右方向外側に向かって切起されたことによって右方向外側に延伸した状態の構成であること、
を特徴とする請求項１又は２に記載の配管吊下支持具。
【請求項５】
前記第１係止部・第２係止部の各々の基端部近傍の上方部分の帯状バンド体の一部が該基端部側に切起されていると共に、この切り起こされた部分の各々が前記第１係止部・第２係止部の少なくとも一部に重合した状態の構成であることを特徴とする請求項３又は４に記載の配管吊下支持具。
【請求項６】
前記第１係止部・第２係止部の各々が、各々の基点よりも上方部分の抱持バンド部の一部を切起された状態で横方向外側に延伸して形成された上方側係止部と、各々の基点よりも下方部分の抱持バンド部の一部を切起された状態で横方向外側に延伸して形成された下方側係止部と、が重合された状態であり、重合した部分に前記第１透孔・第２透孔が貫通形成された構成であることを特徴とする請求項１又は２に記載の配管吊下支持具。
【請求項７】
前記上方側係止部と前記下方側係止部の各々が、その基点部分から前記バンド抱持部の外周面に沿って折り返し横方向外側に延伸するように折曲された状態で重合された構成であることを特徴とする請求項６に記載の配管吊下支持具。
【請求項８】
前記第１係止部・第２係止部の各々が、各々の基点よりも上方部分の前記バンド抱持部の一部を切起された状態で横方向外側に延伸して形成された構成であることを特徴とする請求項１又は２に記載の配管吊下支持具。
【請求項９】
前記第１係止部・第２係止部の各々の基端部近傍の下方部分の帯状バンド体の一部が該基端部側に切起されていると共に、この切り起こされた部分の各々が前記第１係止部・第２係止部の少なくとも一部に重合した状態の構成であることを特徴とする請求項８に記載の配管吊下支持具。
【請求項１０】
前記第１係止部・第２係止部の各々が、前記バンド抱持部の側方部に別材構成の板材の端部を溶接・融着・接着・ネジ留めの如き固着手段により止着した構成であることを特徴とする請求項１又は２に記載の配管吊下支持具。
【請求項１１】
前記第１係止部・第２係止部の各々を構成する板材が、断面が略Ｌ字状を有する形状であり、略Ｌ字状の一辺を前記バンド抱持部に止着した構成であることを特徴とする請求項１０に記載の配管吊下支持具。
【請求項１２】
前記第１係止部・第２係止部の各々が、前記バンド抱持部の側方部が横方向外側に突出するように折曲げて重ねることにより重層状態に形成した構成であることを特徴とする請求項１又は２に記載の配管支持具。
【手続補正２】
【補正対象書類名】明細書
【補正対象項目名】００１５
【補正方法】変更
【補正の内容】
【００１５】
１．一本の帯状バンド体を環状に彎曲することによって配管類を抱持するバンド抱持部が形成されると共に、該帯状バンド体の開放両端部に連設されたバンド端部を有する配管吊下支持具であって、抱持した配管を、天井スラブ等の取付面から複数点吊下支持する配管吊下支持具において、
前記配管吊下支持具が、バンド抱持部によって配管を抱持可能であり、前記バンド端部がタンバックルの如き吊下接続部材に接続されることで吊りボルトからの略鉛直状態での吊下げが可能な構成の配管支持バンドから成り、
前記バンド抱持部には、配管軸に直交するバンド抱持部の左右の側方部に、この左右の側方部の各々を基点として横方向外側に延伸する第１係止部・第２係止部が設けられ、且つ、この第１係止部には第１透孔が、第２係止部には第２透孔が各々形成され、
前記第１係止部の第１透孔には、前記取付面であって前記吊りボルトの吊下位置に対して配管軸方向の前方位置に一端が固定されて斜めに吊下げられる吊りボルトの如き第１吊下支持杆の他端が配管に近い内側に直接接続取付された状態で係合されると共に、前記取付面であって前記吊りボルトの吊下位置に対して配管軸方向の後方位置に一端が固定されて斜めに吊下げられる吊りボルトの如き第２吊下支持杆の他端が配管から遠い外側に直接接続取付された状態で係合されることにより、第１吊下支持杆と第２吊下支持杆の斜め吊り方向が前方と後方の反対方向と成る構成であり、
前記第２係止部の第２透孔には、前記取付面であって前記吊りボルトの吊下位置に対して配管軸方向の後方位置に一端が固定されて斜めに吊下げられる吊りボルトの如き第３吊下支持杆の他端が配管に近い内側に直接接続取付された状態で係合されると共に、前記取付面であって前記吊りボルトの吊下位置に対して配管軸方向の前方位置に一端が固定されて斜めに吊下げられる吊りボルトの如き第４吊下支持杆の他端が配管から遠い外側に直接接続取付された状態で係合されることにより、第３吊下支持杆と第４吊下支持杆の斜め吊り方向が後方と前方の反対方向と成る構成であり、
更に、配管軸に直交する方向において、配管に近い内側に接続される第１吊下支持杆と第３吊下支持杆の斜め吊り方向が前方と後方の反対方向と成り、配管から遠い外側に接続される第２吊下支持杆と第４吊下支持杆の斜め吊り方向が後方と前方の反対方向と成り、
この第１吊下支持杆・第２吊下支持杆・第３吊下支持杆・第４吊下支持杆による４点吊下支持と、前記吊りボルトによる１点吊下支持と、によって少なくとも合計５点吊下支持構成と成ること、
を特徴とする配管吊下支持具。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】変更
【補正の内容】
【００１７】
２．前記第１係止部の第１透孔が２つの透孔から成ると共に、
前記第２係止部の第２透孔が２つの透孔から成り、
前記第１透孔の２つの透孔の一方に前記第１吊下支持杆の他端が挿通されてナット螺合された状態であり、
前記第１透孔の２つの透孔の他方に前記第２吊下支持杆の他端が挿通されてナット螺合された状態であり、
前記第２透孔の２つの透孔の一方に前記第３吊下支持杆の他端が挿通されてナット螺合された状態であり、
前記第２透孔の２つの透孔の他方に前記第４吊下支持杆の他端が挿通されてナット螺合された状態であること、
を特徴とする上記１に記載の配管吊下支持具。
【手続補正５】
【補正対象書類名】明細書
【補正対象項目名】００１８
【補正方法】変更
【補正の内容】
【００１８】
３．前記第１係止部・第２係止部の各々が、各々の基点よりも下方部分の前記バンド抱持部の一部を切起された状態で横方向外側に延伸して形成された構成であることを特徴とする上記１又は２に記載の配管吊下支持具。
【手続補正６】
【補正対象書類名】明細書
【補正対象項目名】００１９
【補正方法】変更
【補正の内容】
【００１９】
４．前記バンド抱持部の下部において帯状バンドの環状方向と平行に且つ並列する２本の切起し部分が設けられた状態であり、
前記第１係止部が、前記２本の内の一方の切起し部分が左方向外側に向かって切起されたことによって左方向外側に延伸した状態の構成であり、
前記第２係止部が、前記２本の内の他方の切起し部分が右方向外側に向かって切起されたことによって右方向外側に延伸した状態の構成であること、
を特徴とする上記１又は２に記載の配管吊下支持具。
【手続補正７】
【補正対象書類名】明細書
【補正対象項目名】００２０
【補正方法】変更
【補正の内容】
【００２０】
５．前記第１係止部・第２係止部の各々の基端部近傍の上方部分の帯状バンド体の一部が該基端部側に切起されていると共に、この切り起こされた部分の各々が前記第１係止部・第２係止部の少なくとも一部に重合した状態の構成であることを特徴とする上記３又は４に記載の配管吊下支持具。
【手続補正８】
【補正対象書類名】明細書
【補正対象項目名】００２１
【補正方法】変更
【補正の内容】
【００２１】
６．前記第１係止部・第２係止部の各々が、各々の基点よりも上方部分の抱持バンド部の一部を切起された状態で横方向外側に延伸して形成された上方側係止部と、各々の基点よりも下方部分の抱持バンド部の一部を切起された状態で横方向外側に延伸して形成された下方側係止部と、が重合された状態であり、重合した部分に前記第１透孔・第２透孔が貫通形成された構成であることを特徴とする上記１又は２に記載の配管吊下支持具。
【手続補正９】
【補正対象書類名】明細書
【補正対象項目名】００２２
【補正方法】変更
【補正の内容】
【００２２】
７．前記上方側係止部と前記下方側係止部の各々が、その基点部分から前記バンド抱持部の外周面に沿って折り返し横方向外側に延伸するように折曲された状態で重合された構成であることを特徴とする上記６に記載の配管吊下支持具。
【手続補正１０】
【補正対象書類名】明細書
【補正対象項目名】００２３
【補正方法】変更
【補正の内容】
【００２３】
８．前記第１係止部・第２係止部の各々が、各々の基点よりも上方部分の前記バンド抱持部の一部を切起された状態で横方向外側に延伸して形成された構成であることを特徴とする上記１又は２に記載の配管吊下支持具。
【手続補正１１】
【補正対象書類名】明細書
【補正対象項目名】００２４
【補正方法】変更
【補正の内容】
【００２４】
９．前記第１係止部・第２係止部の各々の基端部近傍の下方部分の帯状バンド体の一部が該基端部側に切起されていると共に、この切り起こされた部分の各々が前記第１係止部・第２係止部の少なくとも一部に重合した状態の構成であることを特徴とする上記８に記載の配管吊下支持具。
【手続補正１２】
【補正対象書類名】明細書
【補正対象項目名】００２５
【補正方法】変更
【補正の内容】
【００２５】
１０．前記第１係止部・第２係止部の各々が、前記バンド抱持部の側方部に別材構成の板材の端部を溶接・融着・接着・ネジ留めの如き固着手段により止着した構成であることを特徴とする上記１又は２に記載の配管吊下支持具。
【手続補正１３】
【補正対象書類名】明細書
【補正対象項目名】００２６
【補正方法】変更
【補正の内容】
【００２６】
１１．前記第１係止部・第２係止部の各々を構成する板材が、断面が略Ｌ字状を有する形状であり、略Ｌ字状の一辺を前記バンド抱持部に止着した構成であることを特徴とする上記１０に記載の配管吊下支持具。
【手続補正１４】
【補正対象書類名】明細書
【補正対象項目名】００２７
【補正方法】変更
【補正の内容】
【００２７】
１２．前記第１係止部・第２係止部の各々が、前記バンド抱持部の側方部が横方向外側に突出するように折曲げて重ねることにより重層状態に形成した構成であることを特徴とする上記１又は２に記載の配管支持具。